(57)【特許請求の範囲】
【請求項１】
容器口部に固定される中蓋と、上下にスライド可能に該中蓋に取り付けられた注出用弁体と、中蓋に取り付けられた注出用弁体を覆うように着脱自在に設けられた上蓋とを備えた複合容器蓋において、
前記中蓋は、上面に注出案内用の注出筒を備えたリング状水平壁と、該水平壁の外周縁から下方に延びている環状外側壁と、該水平壁の内周縁から下方に延びている環状内側壁とを備え、該環状外側壁の下端内面には、アンダーカットが形成されており、これら環状外側壁と環状内側壁との間の空間に容器口部の上端部分が挿入されて該中蓋が容器口部に固定されると共に、
前記注出用弁体は、天井壁と、天井壁の周縁部分から下方に延びており且つ前記中蓋の環状内側壁内空間に上下にスライド可能に嵌め込まれる筒状側壁とを備えており、該天井壁の中央部分上面には、ボタン形状の上蓋係合用突部が設けられており、該筒状側壁の外面には、前記環状内側壁の下端と係合する突起が形成されていると共に、該筒状側壁には、その下端から上方に延びている注出用スリットが形成されており、
前記注出用弁体の天井壁周縁には、前記筒状側壁よりも外方に延びている周状の水平フランジが設けられており、
前記上蓋は、頂板部と、頂板部周縁から下方に延びているスカート壁とから成り、該スカート壁の下方部分内面には、容器口部の下方部分外面と螺子係合する螺条が形成されており、前記頂板部下面の中央部分には、前記注出用弁体の天井壁上面に設けられている上蓋係合用突部と係合するリング状係合突起が形成されており、
前記注出用弁体が取り付けられている中蓋が容器口部に固定されている状態で容器口部に螺子固定された上蓋を旋回して開栓すると、該上蓋の上昇に伴って、前記注出用弁体は、上蓋のリング状係合突起と注出用弁体の上蓋係合用突部との係合により上方に引き上げられ、前記筒状側壁外面の突起と環状内側壁下端とが係合すると、該注出用弁体の上昇が制限され、前記リング状係合突起と上蓋係合用突部との係合が解除されて、上蓋のみが上昇して容器口部から取り外され、上蓋が取り外された状態において、前記筒状側壁に設けられている注出用スリットが外部に開放されて、該スリットを介して容器内容液の注ぎ出しが行われ、
前記注出用弁体が取り付けられている中蓋が容器口部に固定されている状態で上蓋を被せて閉栓すると、上蓋の押圧によって、前記注出用弁体は降下し、前記スリットが閉じられ、
該注出用弁体が降下位置にあるときは、前記上蓋の頂板部内面に形成された押圧用突起が、前記注出用弁体の水平フランジ上面に当接し、且つ該水平フランジの下面が、前記中蓋のリング状水平壁の上面内周縁部分に密着して、前記注出筒の上端と上蓋の頂板部の下面との接触が回避されること、を特徴とする複合容器蓋。
【請求項２】
容器口部に固定される中蓋と、上下にスライド可能に該中蓋に取り付けられた注出用弁体と、中蓋に取り付けられた注出用弁体を覆うように着脱自在に設けられた上蓋とを備えた複合容器蓋において、
前記中蓋は、上面に注出案内用の注出筒を備えたリング状水平壁と、該水平壁の外周縁から下方に延びている環状外側壁と、該水平壁の内周縁から下方に延びている環状内側壁とを備え、該環状外側壁の下端内面には、アンダーカットが形成されており、これら環状外側壁と環状内側壁との間の空間に容器口部の上端部分が挿入されて該中蓋が容器口部に固定されると共に、
前記注出用弁体は、天井壁と、天井壁の周縁部分から下方に延びており且つ前記中蓋の環状内側壁内空間に上下にスライド可能に嵌め込まれる筒状側壁とを備えており、該天井壁の中央部分上面には、ボタン形状の上蓋係合用突部が設けられており、該筒状側壁の外面には、前記環状内側壁の下端と係合する突起が形成されていると共に、該筒状側壁には、その下端から上方に延びている注出用スリットが形成されており、
前記上蓋は、頂板部と、頂板部周縁から下方に延びているスカート壁とから成り、
前記上蓋のスカート壁には、上方の小径部と下方の大径部とから成り、該大径部の下方部分内面には、容器口部の下方部分外面と螺子係合する螺条が形成されており、該小径部と大径部との間には水平段差部が形成されており、該水平段差部の下面に、該上蓋を閉じた時に、前記中蓋のリング状水平壁上面周縁部と密着する小突起が形成され、前記頂板部下面の中央部分には、前記注出用弁体の天井壁上面に設けられている上蓋係合用突部と係合するリング状係合突起が形成されており、
前記注出用弁体が取り付けられている中蓋が容器口部に固定されている状態で容器口部に螺子固定された上蓋を旋回して開栓すると、該上蓋の上昇に伴って、前記注出用弁体は、上蓋のリング状係合突起と注出用弁体の上蓋係合用突部との係合により上方に引き上げられ、前記筒状側壁外面の突起と環状内側壁下端とが係合すると、該注出用弁体の上昇が制限され、前記リング状係合突起と上蓋係合用突部との係合が解除されて、上蓋のみが上昇して容器口部から取り外され、上蓋が取り外された状態において、前記筒状側壁に設けられている注出用スリットが外部に開放されて、該スリットを介して容器内容液の注ぎ出しが行われ、
前記注出用弁体が取り付けられている中蓋が容器口部に固定されている状態で上蓋を被せて閉栓すると、上蓋の押圧によって、前記注出用弁体は降下し、前記スリットが閉じられること、
を特徴とする複合容器蓋。
【請求項３】
前記中蓋の水平壁下面には、前記環状外側壁と環状内側壁との間で下方に延びているインナーリングが形成されており、該インナーリングと環状外側壁との間の空間に容器口部上端が嵌め込まれて中蓋が固定される請求項１に記載の複合容器蓋。
【請求項４】
前記注出用弁体の天井壁周縁には、前記筒状側壁よりも外方に延びている周状の水平フランジが設けられており、該注出用弁体が降下位置にあるときは、該水平フランジの下面が、前記中蓋のリング状水平壁の上面内周縁部分に密着する請求項２又は３に記載の複合容器蓋。
【請求項５】
前記上蓋のスカート壁には、上方の小径部と下方の大径部とから成り、該大径部の内面に容器口部外面と螺子係合する前記螺条が形成されており、該小径部と大径部との間には水平段差部が形成されており、該水平段差部の下面に、該上蓋を閉じた時に、前記中蓋のリング状水平壁上面周縁部と密着する小突起が形成されている請求項１、３〜４の何れかに記載の複合容器蓋。
【請求項６】
前記注出用スリットは、筒状側壁の周方向に間隔を置いて複数形成されている請求項１乃至５の何れかに記載の複合容器蓋。
【発明の詳細な説明】
【０００１】
【発明の属する技術分野】
本発明は、注出用弁体を上下にスライドさせることにより、注出用開口を開放し或いは閉じるプッシュプル式の複合容器蓋に関するものであり、より詳細には、ドレッシングのような液が収容された容器の蓋として特に有用なプッシュプル式複合容器蓋に関する。
【０００２】
【従来の技術】
プッシュプルタイプの複合容器蓋は、ワンタッチで注出用開口の開放及び閉塞を行うことができるため、種々の液体収容容器の容器蓋として使用されている。
例えば、特開２０００−８５８１１号公報の図４には、容器口部に螺子締結された中蓋２０と、中蓋２０の上部壁に上下にスライド可能に装着された可動部材３０とを備えた複合容器蓋が開示されている。この先行技術において、中蓋２０は、中空の筒状形状を有しており、その上部内空間には、内容液の注出用通路を閉じないようにして栓体（弁体）２６が設けられており、可動部材３０は注出用開口３３を備えている。即ち、可動部材３０が下方位置にあるときは、栓体２６によって可動部材３０の注出用開口３３が閉じられているが、可動部材３０を手で持って上方に引っ張り上げることにより、注出用開口３３が開放され、この状態で内容液の注ぎ出しが行われ、注ぎ出し後は、再び、可動部材３０を手で下方に押し下げることにより、栓体２６によって注出用開口３３が閉じられるというものである。
【０００３】
【発明が解決しようとする課題】
しかしながら、上述した従来公知のプッシュプルタイプの複合容器蓋は、注出用開口を開放し或いは閉じるために、可動部材を手で引っ張り上げたり或いは押し下げたりしなければならないという問題がある。例えばドレッシングのような液が収容された容器に用いた場合、注出用開口の開放及び閉塞に際して、液が付着した可動部材を手で触れなければならず、極めて非衛生的である。
【０００４】
従って、本発明の目的は、容器内容液の注ぎ出しを行うための開口を有する部材を手で全く触れることなく、該部材を上下にスライドさせて開口の開放及び閉塞を行うことが可能なプッシュプルタイプの複合容器蓋を提供することにある。
【０００５】
【課題を解決するための手段】
本発明によれば、容器口部に固定される中蓋と、上下にスライド可能に該中蓋に取り付けられた注出用弁体と、中蓋に取り付けられた注出用弁体を覆うように着脱自在に設けられた上蓋とを備えた複合容器蓋において、
前記中蓋は、上面に注出案内用の注出筒を備えたリング状水平壁と、該水平壁の外周縁から下方に延びている環状外側壁と、該水平壁の内周縁から下方に延びている環状内側壁とを備え、該環状外側壁の下端内面には、アンダーカットが形成されており、これら環状外側壁と環状内側壁との間の空間に容器口部の上端部分が挿入されて該中蓋が容器口部に固定されると共に、
前記注出用弁体は、天井壁と、天井壁の周縁部分から下方に延びており且つ前記中蓋の環状内側壁内空間に上下にスライド可能に嵌め込まれる筒状側壁とを備えており、該天井壁の中央部分上面には、ボタン形状の上蓋係合用突部が設けられており、該筒状側壁の外面には、前記環状内側壁の下端と係合する突起が形成されていると共に、該筒状側壁には、その下端から上方に延びている注出用スリットが形成されており、
前記注出用弁体の天井壁周縁には、前記筒状側壁よりも外方に延びている周状の水平フランジが設けられており、
前記上蓋は、頂板部と、頂板部周縁から下方に延びているスカート壁とから成り、該スカート壁の下方部分内面には、容器口部の下方部分外面と螺子係合する螺条が形成されており、前記頂板部下面の中央部分には、前記注出用弁体の天井壁上面に設けられている上蓋係合用突部と係合するリング状係合突起が形成されており、
前記注出用弁体が取り付けられている中蓋が容器口部に固定されている状態で容器口部に螺子固定された上蓋を旋回して開栓すると、該上蓋の上昇に伴って、前記注出用弁体は、上蓋のリング状係合突起と注出用弁体の上蓋係合用突部との係合により上方に引き上げられ、前記筒状側壁外面の突起と環状内側壁下端とが係合すると、該注出用弁体の上昇が制限され、前記リング状係合突起と上蓋係合用突部との係合が解除されて、上蓋のみが上昇して容器口部から取り外され、上蓋が取り外された状態において、前記筒状側壁に設けられている注出用スリットが外部に開放されて、該スリットを介して容器内容液の注ぎ出しが行われ、
前記注出用弁体が取り付けられている中蓋が容器口部に固定されている状態で上蓋を被せて閉栓すると、上蓋の押圧によって、前記注出用弁体は降下し、前記スリットが閉じられ、
該注出用弁体が降下位置にあるときは、前記上蓋の頂板部内面に形成された押圧用突起が、前記注出用弁体の水平フランジ上面に当接し、
且つ該水平フランジの下面が、前記中蓋のリング状水平壁の上面内周縁部分に密着して、前記注出筒の上端と上蓋の頂板部の下面との接触が回避されること、を特徴とする複合容器蓋が提供される。
また、本発明によれば、容器口部に固定される中蓋と、上下にスライド可能に該中蓋に取り付けられた注出用弁体と、中蓋に取り付けられた注出用弁体を覆うように着脱自在に設けられた上蓋とを備えた複合容器蓋において、
前記中蓋は、上面に注出案内用の注出筒を備えたリング状水平壁と、該水平壁の外周縁から下方に延びている環状外側壁と、該水平壁の内周縁から下方に延びている環状内側壁とを備え、該環状外側壁の下端内面には、アンダーカットが形成されており、これら環状外側壁と環状内側壁との間の空間に容器口部の上端部分が挿入されて該中蓋が容器口部に固定されると共に、
前記注出用弁体は、天井壁と、天井壁の周縁部分から下方に延びており且つ前記中蓋の環状内側壁内空間に上下にスライド可能に嵌め込まれる筒状側壁とを備えており、該天井壁の中央部分上面には、ボタン形状の上蓋係合用突部が設けられており、該筒状側壁の外面には、前記環状内側壁の下端と係合する突起が形成されていると共に、該筒状側壁には、その下端から上方に延びている注出用スリットが形成されており、
前記上蓋は、頂板部と、頂板部周縁から下方に延びているスカート壁とから成り、
前記上蓋のスカート壁には、上方の小径部と下方の大径部とから成り、該大径部の下方部分内面には、容器口部の下方部分外面と螺子係合する螺条が形成されており、該小径部と大径部との間には水平段差部が形成されており、該水平段差部の下面に、該上蓋を閉じた時に、前記中蓋のリング状水平壁上面周縁部と密着する小突起が形成され、前記頂板部下面の中央部分には、前記注出用弁体の天井壁上面に設けられている上蓋係合用突部と係合するリング状係合突起が形成されており、
前記注出用弁体が取り付けられている中蓋が容器口部に固定されている状態で容器口部に螺子固定された上蓋を旋回して開栓すると、該上蓋の上昇に伴って、前記注出用弁体は、上蓋のリング状係合突起と注出用弁体の上蓋係合用突部との係合により上方に引き上げられ、前記筒状側壁外面の突起と環状内側壁下端とが係合すると、該注出用弁体の上昇が制限され、前記リング状係合突起と上蓋係合用突部との係合が解除されて、上蓋のみが上昇して容器口部から取り外され、上蓋が取り外された状態において、前記筒状側壁に設けられている注出用スリットが外部に開放されて、該スリットを介して容器内容液の注ぎ出しが行われ、前記注出用弁体が取り付けられている中蓋が容器口部に固定されている状態で上蓋を被せて閉栓すると、上蓋の押圧によって、前記注出用弁体は降下し、前記スリットが閉じられること、
を特徴とする複合容器蓋。
【０００６】
本発明の複合容器蓋は、上蓋の脱着及び装着により、注出用弁体の上方へのスライド及び下方への降下が行われ、このような注出用弁体の上下へのスライドに伴って、該弁体に設けられている注出用スリットの一部が開放されて容器内容液の注ぎ出しが行われ、また開放された該スリットの注ぎ出し部分が閉じられる。従って、本発明によれば、容器に収容されている液の注ぎ出し作業を、液が付着する注出用弁体に手で触れることなく行うことができ、ドレッシングのような液が収容された容器に用いた場合にも、極めて衛生的である。また、容器内容液の注ぎ出しが行われる注出用スリットの開放部（筒状側壁外面の周状小突起よりも上方に位置する部分）は、上蓋を閉じることによって完全にしっかりと閉じられるため、ドレッシングのように、容器をよく振盪して液を均一にしたのちに注ぎ出しが行われる場合においても、この容器内容液によって上蓋が汚されるこもない。
【０００７】
【発明の実施形態】
本発明を、以下、添付図面に示す具体例に基づいて詳細に説明する。
図１は、本発明の複合容器蓋の側断面図を示し、
図２は、図１の複合容器蓋において、上蓋を取り外して注出用弁体が上方位置にある時の状態を示す側断面図であり、
図３は、図１の複合容器蓋に設けられている注出用弁体の斜視図である。
【０００８】
図１及び２において、本発明のプッシュプルタイプの複合容器蓋は、容器口部５０の上端に螺子固定された合成樹脂製の中蓋１と、該中蓋１に上下にスライド可能に取り付けられている合成樹脂製の注出用弁体２と、中蓋１及び注出用弁体２を覆うように容器口部の下方部分に着脱自在に螺子固定されている合成樹脂製の上蓋３とから成っている。
このような中蓋１、注出用弁体２及び上蓋３を構成する合成樹脂は、それ自体公知であり、例えば、ポリエチレン、アイソタクティクポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂或いはポリカーボネート等を例示することができる。
【０００９】
上記の複合容器蓋が装着される容器の口部５０は、上端に位置する外径の小さい中蓋保持部５１と、中蓋保持部５１の下端に連なる外径の大きい上蓋保持部５２とから成っており、中蓋保持部５１の外面には、中蓋固定用の凹部５１ａが形成され、上蓋保持部５２の外面には、螺条５２ａが形成されている。
【００１０】
中蓋１は、リング状水平壁５と、該水平壁５の外周縁から下方に延びている環状外側壁６と、該水平壁５の内周縁から下方に延びている環状内側壁７とを備えており、リング状水平壁５の上面には、注出案内用の注出筒８が形成されている。注出筒８は、先端が外方に広がった形状を有しており、液の注ぎ出しがスムーズに行われるようになっている。
図１及び２から明らかな通り、上記の環状内側壁７内空間に、注出用弁体２が上下にスライド可能に嵌め込まれ、また、環状外側壁６と環状内側壁７との間の空間に容器口部５０の上端の中蓋保持部５１が挿入される。挿入された容器口部５０をしっかりと固定するために、環状外側壁６の下端内面には、アンダーカット１０が形成されており、水平壁５の下面には、環状外側壁６と環状内側壁７との間で下方に延びているインナーリング１１が形成されている。即ち、環状外側壁６と環状内側壁７との間の空間に挿入された容器口部５０の中蓋保持部５１は、インナーリング１１と環状外側壁６との間の空間に嵌め込まれ、上記のアンダーカット１０が中蓋固定用の凹部５１ａと係合することにより、中蓋１は、容器口部５０にがっちりと固定される。
【００１１】
注出用弁体２は、天井壁２０と、天井壁２０の周縁部分から下方に延びており且つ前記中蓋１の環状内側壁７内空間に上下にスライド可能に嵌め込まれる筒状側壁２１とから成っている。
天井壁２０は、中央部分が若干高くなるようなテーパー形状を有しており、且つその中央部分上面には、ボタン形状の上蓋係合用突部２２が形成されている。（この上蓋係合用突部２２を後述する上蓋３と容易に係合させるために、天井壁２０の中央部分を若干高くしているものである。）また、天井壁２０の周縁部には、前記筒状側壁２１よりも外方に延びている水平フランジ２３が形成されている。
また、筒状側壁２１の下端部外面には、アンダーカット２５が形成されており、このアンダーカット２５よりも上方の位置には、小突起２６が形成されている。筒状側壁２１が中蓋１の環状内側壁７内に嵌め込まれた状態において、筒状側壁２１の位置に応じて、このアンダーカット２５が、環状内側壁７の下端と係合（当接）し、小突起２６は、環状内側壁７の上端（リング状水平壁５の上面内周縁部）と係合（当接）する。この点について、後で詳述する。
更に、筒状側壁２１には、図３から容易に理解されるように、その下端から少なくとも前記小突起２６よりも上方にまで延びている注出用スリット２８が、周方向に一定間隔で複数設けられている。この注出用スリット２８の小突起２６よりも上方の部分２８ａが、内容液の注ぎ出しに際しての注出用開口となるものである。
【００１２】
本発明の複合容器蓋では、上述した構造を有する注出用弁体２の上下スライドが上蓋３を利用して行われる。
このような上蓋３は、図１に示されているように、頂板部３０と、頂板部３０の周縁から下方に延びているスカート壁３１とから成っており、スカート壁３１は、上方の小径部３１ａと下方の大径部３１ｂとから成り、この小径部３１ａと大径部３１ｂとは、水平段差部３１ｃを介して連なっている。スカート壁３１の大径部３１ｂの内面には、螺条３５が形成されており、この螺条３５が、容器口部５０の上蓋保持部５２の外面に形成されている螺条５２ａと螺子係合することにより、上蓋３は、中蓋１及び中蓋１に取り付けられた注出用弁体２を覆うように、容器口部５０に装着されるものである。
また、水平段差部３１ｃの下面には、小突起３６が形成されており、上蓋３を閉じた状態で、容器口部５０に固定されている中蓋１のリング状水平壁５の上面に小突起３６が当接密着し、上蓋３によるシールが確保される。
【００１３】
本発明において、上蓋３の頂板部３０の下面中央部分には、リング状係合突起３７が形成され、且つ頂板部３０の下面周縁部分には、押圧用突起３８が形成されている。
リング状係合突起３７は、先端部が内方に屈曲した鍵形形状を有しており、注出用弁体２の天井壁２０上面に設けられているボタン形状の上蓋係合用突部２２と係合し、この係合によって、上蓋３の開栓による上昇に際して注出用弁体２も上昇する。
また、押圧用突起３８は、リング状係合突起３７よりも長く、上蓋３を閉じるときに、この押圧用突起３８が注出用弁体２の天井壁２０周縁に形成されている水平フランジ２３の上面を押圧し、これにより、上蓋３の閉栓（降下）に伴って、注出用弁体２も下方に降下する。また、上蓋３が完全に閉じられた状態において、下方に降下した注出用弁体２の水平フランジ２３は、この押圧用突起３８と中蓋１のリング状水平壁５との間で挟持され、注出用弁体２は、降下位置でしっかりと固定される。更に、このような押圧用突起３８により、中蓋１に形成されている注出案内用の注出筒８の上端と上蓋３の頂板部３０の下面との接触が有効に回避され、この注出筒８の破断や変形が有効に防止される。
【００１４】
上述した本発明の複合容器蓋において、上蓋３の脱着及び装着による注出用弁体２の上下スライドを利用しての容器内容液の注ぎ出し作業は、以下の様にして行われる。
【００１５】
上蓋３が装着されている状態においては、図１に示すように、注出用弁体２は、降下位置にあり、上記でも述べた通り、押圧用突起３８と中蓋１のリング状水平壁５との間に水平フランジ２３が挟持されることにより、注出用弁体２は、しっかりと固定される。このとき、注出用弁体２の筒状側壁２１の中央部分外面に形成されている小突起２６は、中蓋１の環状内側壁７の下端よりも下方に位置しており、また、注出用弁体２の上蓋係合用突部２２と上蓋３のリング状係合突起３７とは係合しており、上蓋３の水平段差部３１ｃの下面に形成されている小突起３６は、中蓋１のリング状水平壁５の上面に密着している。
この図１から明らかな通り、注出用開口となる注出用スリット２８の小突起２６よりも上方の部分２８ａは、環状内側壁７の内面によって完全に閉じられている。
従って、この状態で容器を振盪しても、容器内容液が漏れ、上蓋３の内面等が容器内容液によって汚されるおそれはない。このことは、容器内容液がドレッシングや液体洗剤のように、容器を振盪させて液を均一にした後に注ぎ出しが行われる場合に極めて有利である。
【００１６】
図１の状態から上蓋３を旋回して上昇させることにより（螺子係合の解除）、容器口部５０から上蓋３を取り外すと図２の状態となる。
即ち、注出用弁体２の上蓋係合用突部２２と上蓋３のリング状係合突起３７とが係合しているため、上蓋３の上昇に伴い、注出用弁体２も上昇し、注出用弁体２の筒状側壁２１の外面に形成されている小突起２６は、中蓋１の環状内側壁７の内面に沿って上昇する。上蓋３の旋回を続け、上蓋３を上昇させていくと、上記の小突起２６は環状内側壁７の上端を乗り越え、同時に筒状側壁２１の下端のアンダーカット２５は環状内側壁７の下端に当接する。従って、注出用弁体２の上昇は制限され、上蓋係合用突部２２と上蓋３のリング状係合突起３７との係合は解除され、上蓋３のみが取り外される。
【００１７】
上蓋３が取り外された状態を示す図２において、小突起２６が中蓋１のリング状水平壁５の上側に位置しており、小突起２６がリング状水平壁５の上面に当接するため、上昇位置にある注出用弁体２が自重によって降下することはなく、その上昇位置は安定に保持される。この場合、小突起２６によらず、環状内側壁７と注出用弁体２の筒状側壁２１外面とを密接させることにより、注出用弁体２を上昇位置に保持することも可能である。
また、この状態では、筒状側壁２１に形成されている注出用スリット２８の小突起２６よりも上方の部分２８ａは開放されている。従って、図２の状態で容器を傾倒させることにより、注出用スリット２８の小突起２６よりも上方の部分２８ａを介して、容器内容液は流れ出し、注出案内用の注出筒８の内面に沿って注ぎ出される。
【００１８】
このようにして容器内容液の注ぎ出しが行われた後は、上蓋３を被せて閉じることにより、注出用弁体２は降下し、再び図１の状態となる。
即ち、上蓋３を閉栓方向に旋回して降下させていくと、小突起２６がリング状水平壁５の上面に当接しているため、注出用弁体２は降下せず、先ず、注出用弁体２の上蓋係合用突部２２に上蓋３のリング状係合突起３７とが当接すること、或いは上蓋３の押圧用突起３８が注出用弁体２の水平フランジ２３に当接することにより、注出用弁体２は押圧され、小突起２６はリング状水平壁５の上面（環状内側壁７の上端）を乗り越え、注出用弁体２は、環状内側壁７の内面に沿って降下していく。
注出用弁体２が降下し、水平フランジ２３の下面がリング状水平壁５の上面に当接した時点で、注出用弁体２の降下は制限され、閉栓は終了する。即ち、この状態において、上蓋３の水平段差部３１ｃの下面に形成されている小突起３６が中蓋１のリング状水平壁５の上面に密着し、上蓋３によるシールが確保されると共に、先に述べた通り、水平フランジ２３が上蓋３の押圧用突起３８とがリング状水平壁５との間に挟持されるため、注出用弁体２の降下位置は安定に保持される。また、注出用弁体２の筒状側壁２１の外面に形成されている小突起２６は、環状内側壁７の下端の下側に位置しており、注出用スリット２８の小突起２６よりも上方の部分は、環状内側壁７の内面によって閉じられている。
再び内容液の注出を行うときには、上述した作業を繰り返せばよい。
【００１９】
上述した本発明の複合容器蓋においては、注出用弁体２の筒状側壁２１の外面に形成されている周状小突起２６とアンダーカット２５との間隔は、少なくとも環状内側壁７の長さ（環状内側壁７の下端からリング状水平壁５の上面までの長さ）よりも長くすることが必要である。即ち、注出用弁体２の上昇は、アンダーカット２５と環状内側壁７の下端との当接によって制限されるが、この状態で、小突起２６は、リング状水平壁５の上面よりも上側に位置していることが注出用弁体２を上方位置で安定に保持するために好ましい。
また、本発明においては、上蓋３のスカート壁３１の下端に、フラップ片等の容器の顎部等と係合する係合部材を備えたタンパーエビデントバンドを設けることにより、不正使用防止機能を持たせることができる。
【００２０】
【発明の効果】
本発明のプッシュプルタイプの複合容器蓋においては、内容液が付着する注出用弁体２に手で触れることなく、上蓋３の開栓及び閉栓によって、注出用弁体２の上昇及び降下を行い、注出用開口となるべき部分の開け閉めを行うことができる。また、容器内容液の激しく振盪させた場合にも、注出用開口となるべき部分が開放されることなく、しっかりと注出用弁体２が保持されている。
従って、本発明の複合容器蓋は、例えばドレッシングや液体洗剤のような液が収容された容器の蓋として、極めて有用である。
【図面の簡単な説明】
【図１】本発明の複合容器蓋の側断面図。
【図２】図１の複合容器蓋において、上蓋を取り外して注出用弁体が上方位置にある時の状態を示す側断面図。
【図３】図１の複合容器蓋に設けられている注出用弁体の斜視図。
【符号の説明】
１：中蓋
２：注出用弁体
３：上蓋
５：リング状水平壁
６：環状外側壁
７：環状内側壁
２０：天井壁
２１：筒状側壁
２２：上蓋係合用突部
２３：水平フランジ
２５：アンダーカット
２６：小突起
２８：注出用スリット
３１：スカート壁
３７：リング状係合突起
３８：押圧用突起
【図１】
0004727054.tif 000002
【図２】
0004727054.tif 000003
【図３】
0004727054.tif 000004